(57)【要約】【課題】熱源を制御してその熱源を用いて定着装置の加熱部材を加熱する定着制御装置において、基本的に定着装置のウォームアップ時間を一定とするとともに、加熱部材の温度が設定温度を下回ることによる定着不良の発生を防止する。【解決手段】定着装置３００の熱源３３への入力電圧を電圧検出手段５２で検出し、その電圧検出手段の検出結果に基づきモード切換手段５４でモード切換えを行い、温度優先モードとした場合には、定着温度を立ち上げるときに定着装置の定着ベルト（加熱部材）３０の温度が設定温度に達した時点で定着可能と判断する一方、時間優先モードとした場合には、立ち上げ開始から所定時間に達した時点で定着可能と判断し、熱源を定着制御装置５００で制御してその熱源を用いて定着ベルトを加熱する。【選択図】図２
2007226028.tif 000002
【特許請求の範囲】
【請求項１】
定着装置の熱源を制御してその熱源を用いて前記定着装置の加熱部材を加熱する定着制御装置において、
定着温度を立ち上げるとき、前記加熱部材の温度が設定温度に達した時点で、定着可能と判断する温度優先モードと、立ち上げ開始から所定時間に達した時点で、定着可能と判断する時間優先モードとを切り換え自在とするモード切換手段を備えることを特徴とする定着制御装置。
【請求項２】
前記熱源への入力電圧を検出する電圧検出手段を備え、その電圧検出手段の検出結果に基づき、前記モード切換手段でモード切換えを行うことを特徴とする、請求項１に記載の定着制御装置。
【請求項３】
前記電圧検出手段の検出結果を記憶する入力電圧記憶手段を備え、その入力電圧記憶手段に記憶する前記電圧検出手段の検出結果に基づき、前記モード切換手段でモード切換えを行うことを特徴とする、請求項２に記載の定着制御装置。
【請求項４】
定着温度立ち上げ時以外に、前記電圧検出手段で前記熱源への入力電圧を検出することを特徴とする、請求項２または３に記載の定着制御装置。
【請求項５】
前記電圧検出手段の検出結果が所定値を越える場合、前記加熱部材の検知温度に基づき、前記モード切換手段でモード切換えを行うことを特徴とする、請求項２ないし４のいずれか１に記載の定着制御装置。
【請求項６】
前記加熱部材の温度勾配を検出する温度勾配検出手段を備え、その温度勾配検出手段の検出結果に基づき、前記モード切換手段でモード切換えを行うことを特徴とする、請求項１に記載の定着制御装置。
【請求項７】
前記温度勾配検出手段の検出結果を記憶する温度勾配記憶手段を備え、その温度勾配記憶手段に記憶する前記温度勾配検出手段の検出結果に基づき、前記モード切換手段でモード切換えを行うことを特徴とする、請求項６に記載の定着制御装置。
【請求項８】
定着温度立ち上げ時に、前記温度勾配検出手段で前記加熱部材の温度勾配を検出することを特徴とする、請求項６または７に記載の定着制御装置。
【請求項９】
前記温度勾配検出手段の検出結果が所定値を越える場合、前記加熱部材の検知温度に基づき、前記モード切換手段でモード切換えを行うことを特徴とする、請求項６ないし８のいずれか１に記載の定着制御装置。
【請求項１０】
カラーモードと白黒モードのいずれの画像モードが選択されたかに基づき、前記モード切換手段でモード切換えを行うことを特徴とする、請求項１に記載の定着制御装置。
【請求項１１】
選択された画像モードを記憶する画像モード記憶手段を備え、その画像モード記憶手段に記憶する画像モードに基づき、前記モード切換手段でモード切換えを行うことを特徴とする、請求項１０に記載の定着制御装置。
【請求項１２】
定着温度立ち上げ時に選択された画像モードに基づき、前記モード切換手段でモード切換えを行うことを特徴とする、請求項１０または１１に記載の定着制御装置。
【請求項１３】
白黒モードが選択された場合、前記加熱部材の検知温度に基づき、前記モード切換手段でモード切換えを行うことを特徴とする、請求項１０ないし１２のいずれか１に記載の定着制御装置。
【請求項１４】
室温を検知する室温検知手段を備え、その室温検知手段の検知結果に基づき、前記モード切換手段でモード切換えを行うことを特徴とする、請求項１に記載の定着制御装置。
【請求項１５】
室温が所定値を越える場合、前記熱源への入力電圧を検出する電圧検出手段の検出結果に基づき、前記モード切換手段でモード切換えを行うことを特徴とする、請求項１４に記載の定着制御装置。
【請求項１６】
室温が所定値を越える場合、前記加熱部材の温度勾配を検出する温度勾配検出手段の検出結果に基づき、前記モード切換手段でモード切換えを行うことを特徴とする、請求項１４に記載の定着制御装置。
【請求項１７】
室温が所定値を越える場合、カラーモードと白黒モードのいずれの画像モードが選択されたかに基づき、前記モード切換手段でモード切換えを行うことを特徴とする、請求項１４に記載の定着制御装置。
【請求項１８】
請求項１ないし１７のいずれか１に記載の定着制御装置を備えることを特徴とする、画像形成装置。
【請求項１９】
定着装置の熱源への入力電圧を電圧検出手段で検出し、
その電圧検出手段の検出結果に基づき、モード切換手段でモード切換えを行い、
温度優先モードとした場合には、定着温度を立ち上げるときに前記定着装置の加熱部材の温度が設定温度に達した時点で定着可能と判断する一方、時間優先モードとした場合には、立ち上げ開始から所定時間に達した時点で定着可能と判断し、
前記熱源を定着制御装置で制御してその熱源を用いて前記加熱部材を加熱する
ことを特徴とする、定着装置のウォームアップ時間制御方法。
【請求項２０】
定着装置の加熱部材の温度勾配を温度勾配検出手段で検出し、
その温度勾配検出手段の検出結果に基づき、モード切換手段でモード切換えを行い、
温度優先モードとした場合には、定着温度を立ち上げるときに前記加熱部材の温度が設定温度に達した時点で定着可能と判断する一方、時間優先モードとした場合には、立ち上げ開始から所定時間に達した時点で定着可能と判断し、
前記定着装置の熱源を定着制御装置で制御してその熱源を用いて前記加熱部材を加熱する
ことを特徴とする定着装置のウォームアップ時間制御方法。
【請求項２１】
カラーモードと白黒モードのいずれの画像モードが選択されたかを検出し、
いずれの画像モードが選択されたかに基づき、モード切換手段でモード切換えを行い、
温度優先モードとした場合には、定着温度を立ち上げるときに定着装置の加熱部材の温度が設定温度に達した時点で定着可能と判断する一方、時間優先モードとした場合には、立ち上げ開始から所定時間に達した時点で定着可能と判断し、
前記定着装置の熱源を定着制御装置で制御してその熱源を用いて前記定着装置の加熱部材を加熱する
ことを特徴とする定着装置のウォームアップ時間制御方法。
【発明の詳細な説明】
【技術分野】
【０００１】
この発明は、複写機、プリンタ、ファクシミリまたはそれらの複合機などの画像形成装置に関する。および、そのような画像形成装置などに備えて、熱源を制御してその熱源を用いて定着装置の加熱部材を加熱する定着制御装置に関する。および、そのような定着制御装置を用いて定着装置のウォームアップ時間を制御するウォームアップ時間制御方法に関する。
【背景技術】
【０００２】
例えば、電子写真式の画像形成装置では、ドラム状やベルト状の感光体の回転とともに、その感光体上に帯電、書込みを行って静電潜像を形成して後、現像装置でトナーを付着することにより可視像化してトナー画像を形成し、そのトナー画像を直接、または中間転写体を介して間接的に用紙、ＯＨＰフィルム等の記録材に転写し、その転写画像を定着装置を用いて定着することにより記録材に画像を記録してなる。
【０００３】
このような画像形成装置に備える定着装置には、加熱部材と加圧部材との定着ニップ間に記録材を通して熱と圧力とを加え、熱で溶かしたトナーを圧力で記録材に付着して定着を行う方式が広く採用されている。加熱部材としては、ローラ状やベルト状のものを用い、ローラ状の加熱部材に内蔵したり、ベルト状の加熱部材を掛けまわすローラに内蔵したり、加熱部材のまわりに配置したりする、ハロゲンヒータ、ＩＨコイルなどの熱源により加熱していた。
【０００４】
この種の定着装置では、画像形成を行っていない待機時は、省エネルギの観点から熱源をすべてオフにしており、画像形成開始時には、ウォームアップ時間（立ち上げ時間）を設け、熱源をオンしてから定着不良を生じない十分な定着温度に加熱部材を加熱して後、画像形成をスタートしていた。
【０００５】
画像形成装置では、もともと、定着温度を立ち上げるとき、加熱部材の温度が設定温度に達した時点で、定着可能と判断する温度優先モードを採用し、その温度優先モードによりウォームアップ時間を決定されていた。しかしながら、温度優先モードでは、ウォームアップ時間がばらつくことから、ユーザーの不満が大きかった。そこで、このウォームアップ時間を一定とすべく、立ち上げ開始から所定時間に達した時点で、定着可能と判断する時間優先モードを採用し、カタログなどにも、商品スペックとして「本商品の待ち時間○○秒」と記載していた。
【０００６】
【特許文献１】特許第３３５０３１５号公報
【特許文献２】特開２００５−３４５９８９号公報
【発明の開示】
【発明が解決しようとする課題】
【０００７】
ところで、以上のように時間優先モードを採用することにより、ウォームアップ時間を一定とするとともに、通常の場合、定着温度のばらつきも問題のない程度とすることができる。しかしながら、このような画像形成装置においても、入力電圧の低下などにより熱源がパワー不足となると、一定のウォームアップ時間では、加熱部材の温度が定着に必要な設定温度を大きく下回ることがあり、この状態で定着可能と判断すると、定着不良を生ずる問題があった。
【０００８】
そこで、この発明の第１の目的は、熱源を制御してその熱源を用いて定着装置の加熱部材を加熱する定着制御装置において、基本的に定着装置のウォームアップ時間を一定とするとともに、加熱部材の温度が設定温度を下回ることによる定着不良の発生を防止することにある。
【０００９】
この発明の第２の目的は、熱源への入力電圧の低下が原因で熱源がパワー不足となり、加熱部材の温度が設定温度を下回ることによる定着不良の発生を防止することにある。
【００１０】
この発明の第３の目的は、例えば入力電圧のサンプリング時間を確保することができず、入力電圧を検出することができない場合にも、熱源への入力電圧の低下が原因で熱源がパワー不足となって加熱部材の温度が設定温度を下回り、定着不良が発生することを防止することにある。
【００１１】
この発明の第４の目的は、定着不良発生の原因の１つである入力電圧の低下を正確に検出することにある。
【００１２】
この発明の第５の目的は、入力電圧の低下がない場合にも、加熱部材の温度をも考慮して、でき得る限りウォームアップ時間を一定とするとともに、定着不良の発生を防止することにある。
【００１３】
この発明の第６の目的は、熱源への入力電圧の低下が原因で熱源がパワー不足になると、温度勾配も小さくなることから、加熱部材の温度が設定温度を下回ることによる定着不良の発生を防止することにある。
【００１４】
この発明の第７の目的は、例えば温度勾配のサンプリング時間を確保することができず、温度勾配を検出することができない場合にも、熱源への入力電圧の低下が原因で熱源がパワー不足となって加熱部材の温度が設定温度を下回り、定着不良が発生することを防止することにある。
【００１５】
この発明の第８の目的は、前回以前の画像形成時に検出した温度勾配を記憶しておく温度勾配記憶手段を不要としてコストの低減を図ることにある。
【００１６】
この発明の第９の目的は、温度勾配が所定値を越える場合にも、加熱部材の温度をも考慮して、でき得る限りウォームアップ時間を一定とするとともに、定着不良の発生を防止することにある。
【００１７】
この発明の第１０の目的は、白黒モードに比べて定着に必要な熱量が大きいカラーモードの場合に、熱源がパワー不足となって、加熱部材の温度が定着に必要な設定温度を下回ることによる定着不良の発生を防止することにある。
【００１８】
この発明の第１１の目的は、白黒またはカラーのいずれの画像モードであるか検出する時間がなく、カラーの場合に熱源への入力電圧の低下が原因で熱源がパワー不足となって加熱部材の温度が設定温度を下回り、定着不良が発生することを防止することにある。
【００１９】
この発明の第１２の目的は、前回以前の画像形成時に検出した画像モードを記憶しておく画像モード記憶手段を不要としてコストの低減を図ることにある。
【００２０】
この発明の第１３の目的は、白黒モードが選択された場合にも、加熱部材の温度をも考慮して、でき得る限りウォームアップ時間を一定とするとともに、定着不良の発生を防止することにある。
【００２１】
この発明の第１４の目的は、室温が低いことが原因で熱源がパワー不足になり、加熱部材の温度が設定温度を下回ることによる定着不良の発生を防止することにある。
【００２２】
この発明の第１５の目的は、室温が所定値を越える場合にも、熱源への入力電圧をも考慮して、でき得る限りウォームアップ時間を一定とするとともに、定着不良の発生を防止することにある。
【００２３】
この発明の第１６の目的は、室温が所定値を越える場合にも、加熱部材の温度勾配をも考慮して、でき得る限りウォームアップ時間を一定とするとともに、定着不良の発生を防止することにある。
【００２４】
この発明の第１７の目的は、室温が所定値を越える場合にも、白黒またはカラーのいずれの画像モードかをも考慮して、でき得る限りウォームアップ時間を一定とするとともに、定着不良の発生を防止することにある。
【００２５】
この発明の第１８の目的は、定着制御装置で定着装置の熱源を制御してその熱源を用いて定着装置の加熱部材を加熱する画像形成装置において、定着制御を、基本的に定着装置のウォームアップ時間を一定とするとともに、加熱部材の温度が設定温度を下回ることによる定着不良の発生を防止することにある。
【００２６】
この発明の第１９の目的は、熱源への入力電圧の低下が原因で熱源がパワー不足となり、加熱部材の温度が設定温度を下回ることによる定着不良の発生を防止する定着装置のウォームアップ時間制御方法を提供することにある。
【００２７】
この発明の第２０の目的は、熱源への入力電圧の低下が原因で熱源がパワー不足になると、温度勾配も小さくなることから、加熱部材の温度が設定温度を下回ることによる定着不良の発生を防止する定着装置のウォームアップ時間制御方法を提供することにある。
【００２８】
この発明の第２１の目的は、白黒モードに比べて定着に必要な熱量が大きいカラーモードの場合に、熱源がパワー不足となって、加熱部材の温度が定着に必要な設定温度を下回ることによる定着不良の発生を防止する定着装置のウォームアップ時間制御方法を提供することにある。
【課題を解決するための手段】
【００２９】
このため、請求項１に記載の発明は、上述した第１の目的を達成すべく、定着装置のＩＨコイル等の熱源を制御してその熱源を用いて定着装置のベルト状やローラ状などの加熱部材を加熱する定着制御装置において、
定着温度を立ち上げるとき、加熱部材の温度が設定温度に達した時点で、定着可能と判断する温度優先モードと、立ち上げ開始から所定時間に達した時点で、定着可能と判断する時間優先モードとを切り換え自在とするモード切換手段を備えることを特徴とする。
【００３０】
そして、時間優先モードでは、定着不良を生ずるおそれがあったり、立ち上げに不必要な時間をかけ過ぎるおそれがあったりする場合には、モード切換手段で切り換えて温度優先モードとする。
【００３１】
請求項２に記載の発明は、上述した第２の目的を達成すべく、請求項１に記載の定着制御装置において、熱源への入力電圧を、例えばある一定時間サンプリングして検出する電圧検出手段を備え、その電圧検出手段の検出結果に基づき、モード切換手段でモード切換えを行うことを特徴とする。
【００３２】
そして、モード切換手段でモード切換えを行い、検出結果が所定値を越えるときには、時間優先モードとし、所定値以下のときには、温度優先モードとする。
【００３３】
請求項３に記載の発明は、上述した第３の目的を達成すべく、請求項２に記載の定着制御装置において、例えば定着温度立ち上げ時以外に電圧検出手段で入力電圧を検出して、その電圧検出手段の検出結果を記憶する入力電圧記憶手段を備え、その入力電圧記憶手段に記憶する電圧検出手段の検出結果に基づき、モード切換手段でモード切換えを行うことを特徴とする。
【００３４】
そして、前回以前の画像形成時に入力電圧記憶手段に記憶する電圧検出手段の検出結果に基づき、モード切換手段でモード切換えを行い、記憶する検出結果が所定値を越えるときには、時間優先モードとし、以下のときには、温度優先モードとする。
【００３５】
請求項４に記載の発明は、上述した第４の目的を達成すべく、請求項２または３に記載の定着制御装置において、定着温度立ち上げ時以外に、電圧検出手段で熱源への入力電圧を検出することを特徴とする。
【００３６】
そして、電圧検出手段で熱源への入力電圧を検出するとき、定着温度立ち上げ時を避けて入力電圧のサンプリングを行う。
【００３７】
請求項５に記載の発明は、上述した第５の目的を達成すべく、請求項２ないし４のいずれか１に記載の定着制御装置において、電圧検出手段の検出結果が所定値を越える場合は、加熱部材の検知温度に基づき、モード切換手段で時間優先モードと温度優先モードのモード切換えを行うことを特徴とする。
【００３８】
そして、電圧検出手段の検出結果が所定値を越える場合、画像形成装置等の電源投入時または省エネルギモードからの復帰時に加熱部材の表面温度を検知し、その検知結果に基づき、モード切換手段でモード切換えを行い、検知結果が閾値を越えるときには、温度優先モードとし、閾値以下のときには、時間優先モードとする。
【００３９】
請求項６に記載の発明は、上述した第６の目的を達成すべく、請求項１に記載の定着制御装置において、加熱部材の温度勾配を、例えばある一定時間サンプリングして検出する温度勾配検出手段を備え、その温度勾配検出手段の検出結果に基づき、モード切換手段でモード切換えを行うことを特徴とする。
【００４０】
そして、モード切換手段でモード切換えを行い、検出結果が所定値を越えるときには、時間優先モードとし、所定値以下のときには、温度優先モードとする。
【００４１】
請求項７に記載の発明は、上述した第７の目的を達成すべく、請求項６に記載の定着制御装置において、温度勾配検出手段の検出結果を記憶する温度勾配記憶手段を備え、その温度勾配記憶手段に記憶する温度勾配検出手段の検出結果に基づき、モード切換手段でモード切換えを行うことを特徴とする。
【００４２】
そして、前回以前の画像形成時に温度勾配記憶手段に記憶する温度勾配検出手段の検出結果に基づき、モード切換手段でモード切換えを行い、記憶する検出結果が所定値を越えるときには、時間優先モードとし、以下のときには、温度優先モードとする。
【００４３】
請求項８に記載の発明は、上述した第８の目的を達成すべく、請求項６または７に記載の定着制御装置において、定着温度立ち上げ時に、温度勾配検出手段で加熱部材の温度勾配を検出することを特徴とする。
【００４４】
そして、１つの画像形成を開始するときの定着温度立ち上げ時に、温度勾配検出手段で加熱部材の温度勾配を検出する。
【００４５】
請求項９に記載の発明は、上述した第９の目的を達成すべく、請求項６ないし８のいずれか１に記載の定着制御装置において、温度勾配検出手段の検出結果が所定値を越える場合は、加熱部材の検知温度に基づき、モード切換手段でモード切換えを行うことを特徴とする。
【００４６】
そして、温度勾配検出手段の検出結果が所定値を越える場合、画像形成装置等の電源投入時または省エネルギモードからの復帰時に加熱部材の表面温度を検知し、その検知結果に基づき、モード切換手段でモード切換えを行い、検知結果が閾値を越えるときには、温度優先モードとし、閾値以下のときには、時間優先モードとする。
【００４７】
請求項１０に記載の発明は、上述した第１０の目的を達成すべく、請求項１に記載の定着制御装置において、カラーモードと白黒モードのいずれの画像モードが選択されたかに基づき、モード切換手段でモード切換えを行うことを特徴とする。
【００４８】
そして、モード切換手段でモード切換えを行い、白黒モードのときには、時間優先モードとし、カラーモードのときには、温度優先モードとする。
【００４９】
請求項１１に記載の発明は、上述した第１１の目的を達成すべく、請求項１０に記載の定着制御装置において、選択された画像モードを記憶する画像モード記憶手段を備え、その画像モード記憶手段に記憶する白黒またはカラーの画像モードに基づき、モード切換手段でモード切換えを行うことを特徴とする。
【００５０】
そして、前回以前の画像形成時に画像モード記憶手段に記憶する画像モードに基づき、モード切換手段でモード切換えを行い、記憶する画像モードが白黒モードのときには、時間優先モードとし、カラーモードのときには、温度優先モードとする。
【００５１】
請求項１２に記載の発明は、上述した第１２の目的を達成すべく、請求項１０または１１に記載の定着制御装置において、定着温度立ち上げ時に選択された白黒またはカラーの画像モードに基づき、モード切換手段でモード切換えを行うことを特徴とする。
【００５２】
そして、１つの画像形成を開始するときの定着温度立ち上げ時に、白黒またはカラーのいずれの画像モードであるかを検出する。
【００５３】
請求項１３に記載の発明は、上述した第１３の目的を達成すべく、請求項１０ないし１２のいずれか１に記載の定着制御装置において、白黒モードが選択された場合にも、画像形成装置等の電源投入時または省エネルギモードからの復帰時に加熱部材の温度を検知し、その検知温度に基づき、モード切換手段でモード切換えを行うことを特徴とする。
【００５４】
そして、加熱部材の検知温度に基づき、モード切換手段でモード切換えを行い、カラーモードのときには温度優先モードとし、白黒モードのときには時間優先モードとする。
【００５５】
請求項１４に記載の発明は、上述した第１４の目的を達成すべく、請求項１に記載の定着制御装置において、室温を検知する室温検知手段を備え、その室温検知手段の検知結果に基づき、モード切換手段でモード切換えを行うことを特徴とする。
【００５６】
そして、画像形成装置等の電源投入時または省エネルギモードからの復帰時に室温検知手段で室温を検知し、その室温検知手段の検知結果に基づき、モード切換手段でモード切換えを行い、室温が所定値を越えるときには、時間優先モードとし、所定値以下のときには、温度優先モードとする。
【００５７】
請求項１５に記載の発明は、上述した第１５の目的を達成すべく、請求項１４に記載の定着制御装置において、室温が所定値を越える場合は、熱源への入力電圧を検出する電圧検出手段の検出結果に基づき、モード切換手段でモード切換えを行うことを特徴とする。
【００５８】
そして、画像形成装置等の電源投入時または省エネルギモードからの復帰時に室温を検知し、その検知した室温が所定値を越える場合は、電圧検出手段で熱源への入力電圧を検出し、その検出結果に基づき、モード切換手段でモード切換えを行い、検出結果が所定値を越えるときには時間優先モードとし、所定値以下のときには温度優先モードとする。
【００５９】
請求項１６に記載の発明は、上述した第１６の目的を達成すべく、請求項１４に記載の定着制御装置において、室温が所定値を越える場合、加熱部材の温度勾配を検出する温度勾配検出手段の検出結果に基づき、モード切換手段でモード切換えを行うことを特徴とする。
【００６０】
そして、画像形成装置等の電源投入時または省エネルギモードからの復帰時に室温を検知し、その検知した室温が所定値を越える場合、温度勾配検出手段で加熱部材の温度勾配を検出し、その検出結果に基づき、モード切換手段でモード切換えを行い、検出結果が所定値を越えるときには、時間優先モードとし、所定値以下のときには、温度優先モードとする。
【００６１】
請求項１７に記載の発明は、上述した第１７の目的を達成すべく、請求項１４に記載の定着制御装置において、室温が所定値を越える場合、カラーモードと白黒モードのいずれの画像モードが選択されたかに基づき、モード切換手段でモード切換えを行うことを特徴とする。
【００６２】
そして、画像形成装置等の電源投入時または省エネルギモードからの復帰時に室温を検知し、その検知した室温が所定値を越える場合、選択された画像モードを検出し、その検出結果に基づき、モード切換手段でモード切換えを行い、検出結果が所定値を越えるときには、時間優先モードとし、所定値以下のときには、温度優先モードとする。
【００６３】
請求項１８に記載の発明は、上述した第１８の目的を達成すべく、複写機、プリンタ、ファクシミリまたはそれらの複合機などの画像形成装置にあって、請求項１ないし１７のいずれか１に記載の定着制御装置を備えることを特徴とする。
【００６４】
そして、定着制御を、時間優先モードを基本とし、時間優先モードでは、定着不良を生ずるおそれがあったり、立ち上げに不必要な時間をかけ過ぎるおそれがあったりする場合には、モード切換手段で切り換えて温度優先モードとする。
【００６５】
請求項１９に記載の発明は、上述した第１９の目的を達成すべく、定着装置のウォームアップ時間制御方法において、
定着装置の熱源への入力電圧を電圧検出手段で検出し、
その電圧検出手段の検出結果に基づき、モード切換手段でモード切換えを行い、
温度優先モードとした場合には、定着温度を立ち上げるときに定着装置の加熱部材の温度が設定温度に達した時点で定着可能と判断する一方、時間優先モードとした場合には、立ち上げ開始から所定時間に達した時点で定着可能と判断し、
熱源を定着制御装置で制御してその熱源を用いて加熱部材を加熱する、ことを特徴とする。
【００６６】
請求項２０に記載の発明は、上述した第２０の目的を達成すべく、定着装置のウォームアップ時間制御方法にあって、
定着装置の加熱部材の温度勾配を温度勾配検出手段で検出し、
その温度勾配検出手段の検出結果に基づき、モード切換手段でモード切換えを行い、
温度優先モードとした場合には、定着温度を立ち上げるときに加熱部材の温度が設定温度に達した時点で定着可能と判断する一方、時間優先モードとした場合には、立ち上げ開始から所定時間に達した時点で定着可能と判断し、
定着装置の熱源を定着制御装置で制御してその熱源を用いて加熱部材を加熱する、ことを特徴とする。
【００６７】
請求項２１に記載の発明は、上述した第２１の目的を達成すべく、定着装置のウォームアップ時間制御方法にあって、
カラーモードと白黒モードのいずれの画像モードが選択されたかを検出し、
いずれの画像モードが選択されたかに基づき、モード切換手段でモード切換えを行い、
温度優先モードとした場合には、定着温度を立ち上げるときに定着装置の加熱部材の温度が設定温度に達した時点で定着可能と判断する一方、時間優先モードとした場合には、立ち上げ開始から所定時間に達した時点で定着可能と判断し、
定着装置の熱源を定着制御装置で制御してその熱源を用いて定着装置の加熱部材を加熱する、ことを特徴とする。
【発明の効果】
【００６８】
請求項１に記載の発明によれば、熱源を制御してその熱源を用いて定着装置の加熱部材を加熱する定着制御装置において、時間優先モードでは、定着不良を生ずるおそれがあったり、立ち上げに不必要な時間をかけ過ぎるおそれがあったりする場合には、モード切換手段で切り換えて温度優先モードとする。これにより、例えば基本的に定着装置のウォームアップ時間を一定とする一方、入力電圧の低下などにより熱源が明らかにパワー不足となるおそれのあるときには、ユーザー待ち時間を一定にすることを断念して加熱部材の温度が定着に必要な設定温度になってから定着可能と判断する温度優先モードを採用するようにし、加熱部材の温度が設定温度を下回ることによる定着不良の発生を防止することができる。
【００６９】
請求項２に記載の発明によれば、電圧検出手段の検出結果に基づき、モード切換手段でモード切換えを行い、検出結果が所定値を越えるときには、時間優先モードとし、所定値以下のときには、温度優先モードとするので、入力電圧の低下が原因で熱源がパワー不足となり、加熱部材の温度が定着に必要な設定温度を下回るおそれのあるとき、温度優先モードとすることにより定着不良の発生を防止することができる。
【００７０】
請求項３に記載の発明によれば、前回以前の画像形成時に入力電圧記憶手段に記憶する電圧検出手段の検出結果に基づき、モード切換手段でモード切換えを行い、記憶する検出結果が所定値を越えるときには、時間優先モードとし、以下のときには、温度優先モードとする。入力電圧を検出するには、ある一定時間、入力電圧をサンプリングする必要があるが、例えば加熱部材の温度がすでに高温のときなどには、立ち上げ時間が短く、サンプリング時間を確保できないことがある。このような場合には、入力電圧を検出することができないが、以前に検出して入力電圧記憶手段に記憶している電圧検出手段の検出結果を利用することでモード切換えを行うことができる。
【００７１】
請求項４に記載の発明によれば、電圧検出手段で熱源への入力電圧を検出するとき、定着温度立ち上げ時を避けて入力電圧のサンプリングを行うので、入力電圧を正確に検出することができる。なぜなら、画像形成装置等の電源投入時や省エネルギモードからの復帰時などの定着温度立ち上げ時には、画像形成装置等の装置全体が一斉に立ち上がり、電圧が安定しないからである。すなわち、単に定着温度が設定温度に達しているだけでなく、定着温度が設定温度に達してかつ安定しているときに入力電圧の検出を行うもので、温度が変動している過渡状態で入力電圧を検出しようとすると、入力電圧を正しく検出できないおそれがあるが、定常状態では正確に検出することができる。
【００７２】
請求項５に記載の発明によれば、電圧検出手段の検出結果が所定値を越える場合、画像形成装置等の電源投入時または省エネルギモードからの復帰時に加熱部材の表面温度を検知し、その検知結果に基づき、モード切換手段でモード切換えを行い、検知結果が閾値を越えるときには、温度優先モードとするので、入力電圧の低下がない場合にも、加熱部材の温度をも考慮して、加熱部材の温度が閾値を越えるときには温度優先モードとし、加熱部材の温度が設定温度に達した時点で、通常の時間をかけずに定着可能と判断し、立ち上げに不必要な時間をかけ過ぎないようにすることができる。加熱部材の温度が閾値以下のときには、時間優先モードとするので、基本どおり立ち上げ開始から所定時間に達した時点で定着可能と判断し、通常の時間をかけて加熱する。
【００７３】
請求項６に記載の発明によれば、温度勾配検出手段の検出結果に基づき、モード切換手段でモード切換えを行い、検出結果が所定値を越えるときには、時間優先モードとし、所定値以下のときには、温度優先モードとするので、加熱部材の温度勾配から、入力電圧の低下が原因で熱源がパワー不足となって、加熱部材の温度が定着に必要な設定温度を下回るおそれのあることを検出し、そのとき温度優先モードとすることにより定着不良の発生を防止することができる。
【００７４】
請求項７に記載の発明によれば、前回以前の画像形成時に温度勾配記憶手段に記憶する温度勾配検出手段の検出結果に基づき、モード切換手段でモード切換えを行い、記憶する検出結果が所定値を越えるときには、時間優先モードとし、以下のときには、温度優先モードとする。温度勾配を検出するには、ある一定時間、温度勾配をサンプリングする必要があるが、例えば加熱部材の温度がすでに高温のときなどには、立ち上げ時間が短く、サンプリング時間を確保できないことがある。このような場合には、温度勾配を検出することができないが、以前に検出して温度勾配記憶手段に記憶している温度勾配検出手段の検出結果を利用することでモード切換えを行うことができる。
【００７５】
請求項８に記載の発明によれば、１つの画像形成を開始するときの定着温度立ち上げ時に、温度勾配検出手段で加熱部材の温度勾配を検出するので、前回以前の画像形成時に検出した温度勾配を記憶しておく温度勾配記憶手段を不要としてコストの低減を図ることができる。
【００７６】
請求項９に記載の発明によれば、温度勾配検出手段の検出結果が所定値を越える場合、画像形成装置等の電源投入時または省エネルギモードからの復帰時に加熱部材の表面温度を検知し、その検知結果に基づき、モード切換手段でモード切換えを行い、検知結果が閾値を越えるときには、温度優先モードとするので、温度勾配が所定値を越える場合にも、加熱部材の温度をも考慮して、加熱部材の温度が閾値を越えるときには温度優先モードとし、加熱部材の温度が設定温度に達した時点で、通常の時間をかけずに定着可能と判断し、立ち上げに不必要な時間をかけ過ぎないようにすることができる。加熱部材の温度が閾値以下のときには、時間優先モードとするので、基本どおり立ち上げ開始から所定時間に達した時点で定着可能と判断し、通常の時間をかけて加熱する。
【００７７】
請求項１０に記載の発明によれば、カラーと白黒のいずれの画像モードが選択されたかに基づき、モード切換手段でモード切換えを行い、白黒モードのときには、時間優先モードとし、カラーモードのときには、温度優先モードとするので、通常は定着に必要な熱量が少なくて済む白黒モードを基本として時間優先モードとし、白黒モードに比べて定着に大きな熱量を必要とするカラーモードの場合には、温度優先モードとすることにより、熱源がパワー不足となって、加熱部材の温度が定着に必要な設定温度を下回るおそれを解消し、定着不良の発生を防止することができる。同じ入力電圧、室温、加熱部材の温度の条件下では、時間優先モードとすると、白黒では加熱部材が設定温度に達するが、カラーでは達しない場合があるからである。
【００７８】
請求項１１に記載の発明によれば、前回以前の画像形成時に画像モード記憶手段に記憶する白黒またはカラーの画像モードに基づき、モード切換手段でモード切換えを行い、記憶する画像モードが白黒モードのときには、時間優先モードとし、カラーモードのときには、温度優先モードとするので、例えば加熱部材の温度がすでに高温のときなど、立ち上げ時間が短く、画像モードを検出する時間がないとき、以前に検出して画像モード記憶手段に記憶している画像モードを利用することでモード切換えを行うことができる。
【００７９】
請求項１２に記載の発明によれば、１つの画像形成を開始するときの定着温度立ち上げ時に、画像モードを検出するので、前回以前の画像形成時に検出した画像モードを記憶しておく画像モード記憶手段を不要としてコストの低減を図ることができる。
【００８０】
請求項１３に記載の発明によれば、白黒モードが選択されたときにも、画像形成装置等の電源投入時または省エネルギモードからの復帰時に加熱部材の表面温度を検知し、その検知温度に基づき、モード切換手段でモード切換えを行い、検知結果が閾値を越えるときには、温度優先モードとするので、白黒モードが選択された場合にも、加熱部材の温度をも考慮して、加熱部材の温度が閾値を越えるときには温度優先モードとし、加熱部材の温度が設定温度に達した時点で、通常の時間をかけずに定着可能と判断し、立ち上げに不必要な時間をかけ過ぎないようにすることができる。加熱部材の温度が閾値以下のときには、時間優先モードとするので、基本どおり立ち上げ開始から所定時間に達した時点で定着可能と判断し、通常の時間をかけて加熱する。
【００８１】
請求項１４に記載の発明によれば、画像形成装置等の電源投入時または省エネルギモードからの復帰時に室温検知手段で室温を検知し、その室温検知手段の検知結果に基づき、モード切換手段でモード切換えを行い、室温が所定値を越えるときには、時間優先モードとし、所定値以下のときには、温度優先モードとするので、室温が低いことが原因で熱源がパワー不足となり、加熱部材の温度が定着に必要な設定温度を下回るおそれのあるとき、温度優先モードとすることにより定着不良の発生を防止することができる。
【００８２】
請求項１５に記載の発明によれば、室温が所定値を越える場合、電圧検出手段で熱源への入力電圧を検出し、その検出結果に基づき、モード切換手段でモード切換えを行い、検出結果が所定値を越えるときには、時間優先モードとし、所定値以下のときには、温度優先モードとするので、室温が所定値を越える場合にも、熱源への入力電圧をも考慮してモード切換手段でモード切換えを行い、入力電圧が所定値を越えるときには、時間優先モードとし、基本どおり立ち上げ開始から所定時間に達した時点で定着可能と判断し、ユーザー待ち時間を極力一定にすることができる。一方、入力電圧が所定値以下のときには、温度優先モードとし、加熱部材の温度が設定温度に達した時点で定着可能と判断し、通常よりも時間はかかるが、定着不良の発生を防止することができる。
【００８３】
請求項１６に記載の発明によれば、室温が所定値を越える場合、温度勾配検出手段で加熱部材の温度勾配を検出し、その検出結果に基づき、モード切換手段でモード切換えを行い、検出結果が所定値を越えるときには、時間優先モードとし、所定値以下のときには、温度優先モードとするので、室温が所定値を越える場合にも、加熱部材の温度勾配をも考慮してモード切換手段でモード切換えを行い、入力電圧が所定値を越えるときには、時間優先モードとし、基本どおり立ち上げ開始から所定時間に達した時点で定着可能と判断し、ユーザー待ち時間を極力一定にすることができる。一方、加熱部材の温度勾配が所定値以下のときには、温度優先モードとし、加熱部材の温度が設定温度に達した時点で定着可能と判断し、通常よりも時間はかかるが、定着不良の発生を防止することができる。
【００８４】
請求項１７に記載の発明によれば、室温が所定値を越える場合、選択された画像モードを検出し、その検出結果に基づき、モード切換手段でモード切換えを行い、白黒モードが選択された場合には、時間優先モードとし、カラーモードが選択された場合には、温度優先モードとするので、室温が所定値を越える場合にも、画像モードをも考慮してモード切換手段でモード切換えを行い、白黒モードの場合には、時間優先モードとし、基本どおり立ち上げ開始から所定時間に達した時点で定着可能と判断し、ユーザー待ち時間を極力一定にすることができる。一方、カラーモードの場合には、温度優先モードとし、加熱部材の温度が設定温度に達した時点で定着可能と判断し、通常よりも時間はかかるが、定着不良の発生を防止することができる。
【００８５】
請求項１８に記載の発明によれば、定着制御装置で定着装置の熱源を制御してその熱源を用いて定着装置の加熱部材を加熱する画像形成装置において、定着制御を、時間優先モードを基本とし、時間優先モードでは、定着不良を生ずるおそれがあったり、立ち上げに不必要な時間をかけ過ぎるおそれがあったりする場合には、モード切換手段で切り換えて温度優先モードとするので、基本的には定着装置のウォームアップ時間を一定とする一方、入力電圧の低下などにより熱源が明らかにパワー不足となるおそれのあるときには、ユーザー待ち時間を一定にすることを断念して加熱部材の温度が定着に必要な設定温度になってから定着可能と判断する温度優先モードを採用するようにし、加熱部材の温度が設定温度を下回ることによる定着不良の発生を防止することができる。
【００８６】
また、加熱部材の温度が高温であるときには、一定のユーザー待ち時間前に加熱部材の温度が設定温度に達し、実際には定着可能になっているにもかかわらず、ユーザーは不必要に待たされることとなることから、このような場合にはユーザー待ち時間を一定にすることを断念して温度優先モードを採用するようにし、立ち上げに不必要な時間をかけ過ぎないようにすることができる。
【００８７】
請求項１９に記載の発明によれば、電圧検出手段の検出結果に基づき、モード切換手段でモード切換えを行い、検出結果が所定値を越えるときには、時間優先モードとし、所定値以下のときには、温度優先モードとするので、入力電圧の低下が原因で熱源がパワー不足となり、加熱部材の温度が定着に必要な設定温度を下回るおそれのあるとき、温度優先モードとすることにより定着不良の発生を防止することができる。
【００８８】
請求項２０に記載の発明によれば、温度勾配検出手段の検出結果に基づき、モード切換手段でモード切換えを行い、検出結果が所定値を越えるときには、時間優先モードとし、所定値以下のときには、温度優先モードとするので、加熱部材の温度勾配から、入力電圧の低下が原因で熱源がパワー不足となって、加熱部材の温度が定着に必要な設定温度を下回るおそれのあることを検出し、そのとき温度優先モードとすることにより定着不良の発生を防止することができる。
【００８９】
請求項２１に記載の発明によれば、カラーと白黒のいずれの画像モードが選択されたかに基づき、モード切換手段でモード切換えを行い、白黒モードのときには、時間優先モードとし、カラーモードのときには、温度優先モードとするので、通常は定着に必要な熱量が少なくて済む白黒モードを基本として時間優先モードとし、白黒モードに比べて定着に大きな熱量を必要とするカラーモードの場合には、温度優先モードとすることにより、熱源がパワー不足となって、加熱部材の温度が定着に必要な設定温度を下回るおそれを解消し、定着不良の発生を防止することができる。同じ入力電圧、室温、加熱部材の温度の条件下では、時間優先モードとすると、白黒では加熱部材が設定温度に達するが、カラーでは達しない場合があるからである。
【発明を実施するための最良の形態】
【００９０】
以下、図面を参照しつつ、この発明の実施の最良形態につき説明する。
図１には、複写機、プリンタ、ファクシミリまたはそれらの複合機などの画像形成装置の一例における内部機構の全体概略構成を示す。
【００９１】
図中符号１００は画像形成装置本体、２００はその画像形成装置本体１００上に取り付ける画像読取装置である。
【００９２】
画像形成装置本体１００内には、シアン、マゼンタ、イエロ、ブラックの４つの作像ステーション１０ｃ、１０ｍ、１０ｙ、１０ｂをタンデム式に並べて設ける。各作像ステーションでは、それぞれドラム状の感光体１１ｃ、１１ｍ、１１ｙ、１１ｂを備え、その図中時計まわりの回転にともない、まず各帯電装置１２ｃ、１２ｍ、１２ｙ、１２ｂでバイアス電圧を印加して表面を一様に帯電する。
【００９３】
次いで、複写機にあっては画像読取装置２００による読取信号や、プリンタにあってはホストからの画像信号や、ファクシミリにあっては電話回線を介して送られてくる送信信号に基づき、共通の書込み装置１３から、それぞれレーザ光Ｌｃ、Ｌｍ、Ｌｙ、Ｌｂを照射することにより書込みを行い、感光体１１ｃ、１１ｍ、１１ｙ、１１ｂ上に静電潜像を形成する。そののち、各現像装置１４ｃ、１４ｍ、１４ｙ、１４ｂでトナーを付着してその静電潜像を可視像化し、感光体１１ｃ、１１ｍ、１１ｙ、１１ｂ上に各々各色単色画像を形成する。
【００９４】
そして、感光体１１ｃ、１１ｍ、１１ｙ、１１ｂに接触して無端ベルト状の中間転写体１５を図中反時計まわりに走行し、各一次転写装置１６ｃ、１６ｍ、１６ｙ、１６ｂにより感光体１１ｃ、１１ｍ、１１ｙ、１１ｂ上の各色単色画像をシアンから順に中間転写体１５上に一次転写し、転写画像を重ね合わせて中間転写体１５上にフルカラー画像を形成する。
【００９５】
一方、適宜タイミングで給送ローラ２０の１つを選択的に回転し、画像形成装置本体１００内の、対応する給紙カセット２１から記録材Ｐを繰り出し、記録材搬送路２３を通して搬送して一対のレジストローラ２４間に突き当てて止める。そして、中間転写体１５上のフルカラー画像にタイミングを合わせて一対のレジストローラ２４を回転し、二次転写装置２５によりそのフルカラー画像を記録材Ｐに二次転写する。
【００９６】
そののち、フルカラー画像転写後の記録材Ｐを記録材搬送路２３を通してそのまま上方へと搬送し、定着装置３００の定着ニップを通過するとき未定着転写トナーを記録材Ｐに定着し、排出ローラ２６で排出して画像形成装置本体１００上の排紙スタック装置２７上にスタックする。
【００９７】
一次転写終了後の各感光体１１ｃ、１１ｍ、１１ｙ、１１ｂは、一次クリーニング装置１７ｃ、１７ｍ、１７ｙ、１７ｂでクリーニングして転写残トナーを除去して初期化する。また、二次転写終了後の中間転写体１５は、二次クリーニング装置１８でクリーニングして転写残トナーを除去して初期化する。
【００９８】
図中符号２８ｃ、２８ｍ、２８ｙ、２８ｂは、それぞれ各色現像装置１４ｃ、１４ｍ、１４ｙ、１４ｂにトナーを補給する各色トナーボトルである。
【００９９】
さて、図示画像形成装置で記録材Ｐの表裏両面に画像を記録するときは、定着装置３００を通過した片面記録済みの記録材Ｐを不図示の切換爪で切り換えて画像形成装置本体１００から両面ユニット９２に入れ、スイッチバック路９３でスイッチバックして表裏反転してから再給紙路９４を通して再び画像形成装置本体１００に入れ、二次転写位置へと再給紙し、別途中間転写体１５上に形成した画像を転写して裏面にも画像を記録して後、排出ローラ２６で排紙スタック装置２７に排出する。
【０１００】
なお、以上の説明では、記録材Ｐにカラー画像を記録する場合について説明したが、上述した画像形成装置では、選択された単色モードまたは複数色モードにしたがい、適宜作像ステーション１０ｃ、１０ｍ、１０ｙ、１０ｂのいくつかを選択使用し、モノクロ画像またはカラー画像を任意に形成することができるようになっている。
【０１０１】
図２には、図１に示す画像形成装置本体１００に備える定着装置３００と、その定着制御装置５００を示す。
【０１０２】
定着装置３００は、加熱部材である無端の定着ベルト３０を第１ローラ３１と第２ローラ３２間に掛けまわし、一方のローラの回転により他方のローラを従動回転して走行可能とする。また、第１ローラ３１のまわりに定着ベルト３０を加熱する熱源３３を配置する一方、第２ローラ３２に定着ベルト３０を介して加圧ローラ４０を押し当てて定着ニップを形成してなる。熱源３３としては、この例ではＩＨコイルを使用している。
【０１０３】
そして、画像転写後の記録材Ｐが定着ニップを通過するとき、定着ベルト３０を介して第２ローラ３２に加圧ローラ４０を押し当てることにより圧力を加えるとともに、熱源３３で加熱する定着ベルト３０で熱を加えて二次転写画像を定着する。
【０１０４】
定着装置３００の熱源３３は、定着制御装置５００で制御する。定着制御装置５００には、熱源３３と接続してＩＨ制御部５０を設ける。ＩＨ制御部５０には、インバータ回路５１と、熱源３３への入力電圧を検出する電圧検出手段５２を備える。ＩＨ制御部５０には、定着制御部５３を接続する。定着制御部５３には、モード切換手段５４、入力電圧記憶手段５５などを設ける。
【０１０５】
モード切換手段５４は、定着温度を立ち上げるとき、加熱部材である定着ベルト３０の温度が設定温度に達した時点で、定着可能と判断する温度優先モードと、立ち上げ開始から所定時間に達した時点で、定着可能と判断する時間優先モードとを切り換え自在とする。また、入力電圧記憶手段５５は、電圧検出手段５２の検出結果を記憶する。
【０１０６】
定着制御部５３には、加熱部材である定着ベルト３０の温度を検知するサーミスタ５６、画像形成装置を設置する部屋の室温を検知する室温検知手段５７、定着装置３００の熱源３３の制御を自動で行うか手動で行うかを切り換える自動手動切換手段５８などを接続する。
【０１０７】
そして、熱源３３を制御してその熱源３３を用いて定着装置３００の定着ベルト３０を加熱する定着制御装置５００において、あくまでも時間優先モードを基本とし、時間優先モードでは、定着不良を生ずるおそれがあったり、立ち上げに不必要な時間をかけ過ぎるおそれがあったりする場合に、モード切換手段５４で切り換えて温度優先モードとするものである。
【０１０８】
これにより、基本的には、時間優先モードを採用して定着装置３００のウォームアップ時間を一定とする。一方、入力電圧の低下などにより熱源３３が明らかにパワー不足となるおそれのあるときには、ユーザー待ち時間を一定にすることを断念して定着ベルト３０の温度が定着に必要な設定温度になってから定着可能と判断する温度優先モードを採用するようにし、定着ベルト３０の温度が設定温度を下回ることによる定着不良の発生を防止する。
【０１０９】
また、時間優先モードを採用すると、例えば前回の定着から時間が経過しておらず、定着ベルト３０の温度が高温であるときには、一定のユーザー待ち時間前に定着ベルト３０の温度が設定温度に達し、実際には定着可能になっているにもかかわらず、ユーザーは不必要に待たされることとなるから、このような場合にはユーザー待ち時間を一定にすることを断念して温度優先モードを採用するようにし、立ち上げに不必要な時間をかけ過ぎないようにする。
【０１１０】
図３には、定着装置３００のウォームアップ時間制御方法の一例のフローを示す。
この図３に示す制御方法では、電圧検出手段５２により熱源３３への入力電圧を検出し、その検出結果に基づき、モード切換手段５４でモード切換えを行い、検出結果が所定値Ａを越えるときには、時間優先モードとし、所定値Ａ以下のときには、温度優先モードとするものである。
【０１１１】
このようにすると、入力電圧の低下が原因で熱源３３がパワー不足となり、定着ベルト３０の温度が定着に必要な設定温度を下回るおそれのあるとき、温度優先モードとすることにより定着不良の発生を防止することができる。
【０１１２】
ところで、画像形成装置の電源投入時や省エネルギモードからの復帰時などの定着温度立ち上げ時には、画像形成装置全体が一斉に立ち上がり、電圧が安定しない。このような状態では、入力電圧を正しく検出することができないおそれがある。そこで、電圧検出手段５２で熱源３３への入力電圧を検出するとき、定着温度立ち上げ時を避けて定着温度が設定温度に達してかつ安定しているときに入力電圧のサンプリングを行い、入力電圧を正確に検出するようにすることが好ましい。
【０１１３】
そして、電圧検出手段５２で検出した検出結果を入力電圧記憶手段５５で記憶し、その記憶する電圧検出手段５２の検出結果に基づき、モード切換手段５４でモード切換えを行う。このように、入力電圧記憶手段５５を備えると、例えば定着ベルト３０の温度がすでに高温のときなどは、立ち上げ時間が短く、サンプリング時間を確保できず、入力電圧を検出することができない場合もあるが、以前に検出して入力電圧記憶手段５５に記憶している電圧検出手段５２の検出結果を利用することでモード切換えを行うことができる。
【０１１４】
図４には、入力電圧記憶手段５５に電圧検出手段５２の検出結果を記憶する一例のフローを示す。
【０１１５】
まず、保存値ｃの初期値は１００％（基準電圧に対する入力電圧の比率）とし、保存値ｃが電圧範囲７０〜１２０％内か判断し、範囲内の場合には、保存値ｃが正常な値であると判断し、保存値ｃを用いて立ち上げる。一方、保存値ｃが電圧範囲外の場合には、保存値ｃが信頼性のない異常な値であると判断し、初期値ｂを用いて立ち上げる。
【０１１６】
なお、保存値ｃまたはｂを用いて立ち上げるとは、図３において入力電圧として保存値ｃまたはｂを用いて所定値Ａと対比することである。所定値Ａの初期値は９６であるが、所定値Ａは８５〜１００の範囲で変更可能である。
【０１１７】
その後、リロードする（定着可能になる）と、入力電圧を測定する。測定に成功すると、測定値ｅを用いて保存値ｃを更新する。測定に失敗した場合は、保存値ｃを更新しない。次いで、「次回昇温スタート」以降は、最初の「スタート」以降で行っていることを繰り返し行う。
【０１１８】
図５には、定着装置３００のウォームアップ時間制御方法の他例のフローを示す。
この図５に示す制御方法では、まず室温検知手段５７で画像形成装置を設置する部屋の室温を検知して、室温が所定値を越えるか否かを判断し、室温検知手段５７の検知結果に基づき、定着制御部５３のモード切換手段５４でモード切換えを行う。例えば、室温が所定値１５℃以下の場合には、温度優先モードとし、通常の時間以上の時間をかけても、室温が低いことが原因で熱源がパワー不足となり、定着ベルト３０の温度が定着に必要な設定温度を下回ることにより定着不良が発生することを防止する。
【０１１９】
室温が所定値１５℃を越える場合は、一応時間優先モードの方に切り換えるが、次には電圧検出手段５２で熱源３３への入力電圧を検出して、入力電圧が所定値を越えるか否かを判断し、電圧検出手段５２の検出結果に基づき、定着制御部５３のモード切換手段５４でモード切換えを行う。例えば、室温が１５℃を越える場合にも、検出結果が所定値Ａ以下のときには、熱源３３への入力電圧をも考慮して温度優先モードとし、定着ベルト３０の温度が設定温度に達した時点で定着可能と判断し、通常よりも時間はかかるが、定着不良の発生を防止する。
【０１２０】
他方、入力電圧が所定値Ａを越えるときには、さらに一応時間優先モードの方に切り換えるが、次にサーミスタ５６で定着ベルト３０の温度を検知し、検知温度が閾値を越えるか否かを判断し、定着ベルト３０の検知温度に基づき、定着制御部５３のモード切換手段５４でモード切換えを行う。例えば、入力電圧が所定値Ａを越える場合にも、検知温度が閾値５０℃を越えるときには、温度優先モードとし、定着ベルト３０の温度が設定温度に達した時点で、通常の時間をかけずに定着可能と判断し、立ち上げに不必要な時間をかけ過ぎないようにする。
【０１２１】
一方、検知温度が閾値５０℃以下のときには、時間優先モードとし、基本どおり立ち上げ開始から所定時間に達した時点で定着可能と判断し、ユーザー待ち時間を極力一定にする。
【０１２２】
図３および図５に示す定着装置３００のウォームアップ時間制御方法では、以上のとおり、定着装置３００の熱源３３を定着制御装置５００で制御してその熱源３３を用いて定着ベルト３０を加熱する。
【０１２３】
図６には、図５に示すフローでモード切換えを行う場合における定着ベルト３０の時間ｔと温度Ｔとの関係を示す。
【０１２４】
曲線ｈは、図５において室温が１５℃以下で温度優先モードが選択された場合である。温度優先であるので、強制リロード時間（時間優先の設定時間）を越えて、定着温度が設定温度Ｔ１になるまで加熱を継続する。その間、定着装置３００の定着ベルト３０は、回転走行を継続している。定着温度が設定温度Ｔ１になったところで定着可能と判断してもよいが、低音環境のため定着装置３００の全体が設定温度Ｔ１になっているとは限らないことから、所定のプレ回転時間だけ、加熱と回転走行を継続する。そして、プレ回転時間経過後に、定着可能と判断する。
【０１２５】
曲線ｉは、図５において室温が１５℃以上、入力電圧Ａ以下で温度優先モードが選択された場合である。温度優先モードであるので、強制リロード時間（時間優先の設定時間）を越えて、定着温度が設定温度Ｔ１になるまで加熱を継続する。その間、定着装置３００の定着ベルト３０は、回転走行を継続している。定着温度が設定温度Ｔ１になったところで定着可能と判断してもよいが、低電圧によりその後通紙したときの温度低下が大きいため、高めの設定温度Ｔ２に達するまで、加熱と回転走行を継続する。そして、設定温度Ｔ２に達すると、定着可能と判断する。
【０１２６】
曲線ｊは、図５において室温が１５℃以上、入力電圧Ａ以上、定着ベルト３０の温度が閾値５０℃以下で時間優先モードが選択された場合である。時間優先であるので、強制リロード時間（時間優先の設定時間）に達するまで、定着温度が設定温度Ｔ１になっていても加熱を継続する。その間、定着装置３００の定着ベルト３０は、回転走行を継続している。曲線ｊは、強制リロード時間経過時点で、定着温度が設定温度Ｔ１を越えている例であるが、ばらつきにより、強制リロード時間経過時点で、定着温度が設定温度Ｔ１以下の場合もある。
【０１２７】
曲線ｋは、図５において室温が１５℃以上、入力電圧Ａ以上、定着ベルト３０の温度が閾値５０℃を越えて温度優先モードが選択された場合である。定着温度が設定温度Ｔ１に達するまで、加熱、回転し、設定温度Ｔ１に達するとオーバーシュートするが、それが防止される。また、強制リロード時間より大幅に速く、定着可能と判断することができる。
【０１２８】
なお、図示画像形成装置では、操作部を特殊な操作をすることにより自動と手動を切り換える自動切換手段５８を有する。操作部を特殊な操作をするとは、例えば周知の技術で、サービスマンがメンテナンス作業で行う、特定のスイッチを長押しした後で隠しモードにするようなものである。
【０１２９】
さて、図２において、ＩＨ制御部５０と定着制御部５３とはシリアル通信を行う。入力電圧を検出する際、検出データをシリアル通信すると、検出の処理時間がかかる問題がある。そこで、１つの画像形成動作中に、入力電圧を検出してモード切換えを行うと、入力電圧が検出できずにモード切換えができなくなるおそれがある。したがって、検出データをシリアル通信する条件下では、１つの画像形成動作中に、入力電圧を検出してもモード切換えを行うよりも、入力電圧の記憶値を用いてモード切換えを行った方がよい。
【０１３０】
図示例のように熱源３３がＩＨ誘導加熱方式であるとき、電圧検出手段５２を、定着制御部５３とシリアル通信を行うＩＨ制御部５０内に設けると、電圧検出データは、いったんＩＨ制御部５０に入力されてから、シリアル通信される。そこで、ＩＨ制御部５０を介する分だけさらに検出の処理時間がかかる。よって、このときも入力電圧が検出できずにモード切換えができなくなるおそれがあることから、入力電圧の記憶値を用いてモード切換えを行った方がよい。
【０１３１】
図７には、図１に示す画像形成装置本体１００に備える定着装置３００と、その定着制御装置５００の他例を示す。
【０１３２】
この例では、ＩＨ制御部５０の電圧検出手段５２および定着制御部５３の入力電圧記憶手段５５に代えて、定着制御部５３に温度勾配検出手段６０と温度勾配記憶手段６１を備える。
【０１３３】
図８には、図７に示す構成を用いた定着装置３００のウォームアップ時間制御方法のさらに他例のフローを示す。
【０１３４】
この図８に示す制御方法では、１つの画像形成動作を開始するときの定着温度立ち上げ時に、温度勾配検出手段６０により加熱部材である定着ベルト３０の温度勾配を検出し、その検出結果に基づき、モード切換手段５４でモード切換えを行い、検出結果が所定値Ｂを越えるときには、時間優先モードとし、所定値Ｂ以下のときには、温度優先モードとするものである。
【０１３５】
入力電圧検出手段５２の検出結果に基づきモード切換えを行う場合と同様に、前回以前の画像形成時に温度勾配記憶手段６１に記憶する温度勾配検出手段６０の検出結果に基づき、モード切換手段５４でモード切換えを行うようにし、サンプリング時間を確保できない場合に、以前に検出して記憶している検出結果を利用してモード切換えを行うこともできる。
【０１３６】
図９には、定着温度立ち上げ時における時間の経過にともなう定着ベルト３０の温度変化を示す。
【０１３７】
温度勾配は、図９に示すように、定着温度立ち上げ時に定着ベルト３０の温度がある温度に達した時点から、ある設定時間ｔでの上昇温度Ｔ３を計測して算出したＴ３／ｔの値であり、この例では、４０℃から２０秒間の上昇温度である。
【０１３８】
このように定着ベルト３０の温度勾配の検出結果に基づき、モード切換手段５４でモード切換えを行うようにすると、温度勾配から入力電圧の低下が原因で熱源３３がパワー不足となって、定着ベルト３０の温度が定着に必要な設定温度を下回るおそれのあることを検出し、そのとき温度優先モードとすることにより定着不良の発生を防止することができる。
【０１３９】
図１０には、定着装置３００のウォームアップ時間制御方法のまたさらに他例のフローを示す。
【０１４０】
この図１０に示す制御方法では、図５に示す場合と同様に、まず室温検知手段５７で画像形成装置を設置する部屋の室温を検知して、室温が所定値を越えるか否かを判断し、室温検知手段５７の検知結果に基づき、定着制御部５３のモード切換手段５４でモード切換えを行う。例えば、室温が所定値１５℃以下の場合には、温度優先モードとし、通常の時間以上の時間をかけても、室温が低いことが原因で熱源がパワー不足となって定着不良が発生することを防止する。
【０１４１】
室温が所定値１５℃を越える場合は、一応時間優先モードの方に切り換えるが、次には温度勾配検出手段６０で定着ベルト３０の温度勾配を検出して、温度勾配が所定値を越えるか否かを判断し、温度勾配検出手段６０の検出結果に基づき、定着制御部５３のモード切換手段５４でモード切換えを行う。例えば、室温が１５℃を越える場合にも、検出温度勾配が所定値Ｂ以下のときには、温度優先モードとし、定着ベルト３０の温度が設定温度に達した時点で定着可能と判断し、通常よりも時間はかかるが、定着不良の発生を防止する。
【０１４２】
他方、検出温度勾配が所定値Ｂを越えるときには、さらに一応時間優先モードの方に切り換えるが、次にサーミスタ５６で定着ベルト３０の温度を検知し、検知温度が閾値を越えるか否かを判断し、定着ベルト３０の検知温度に基づき、定着制御部５３のモード切換手段５４でモード切換えを行う。例えば、検出温度勾配が所定値Ｂを越える場合にも、定着ベルト３０の検知温度が閾値５０℃を越えるときには、温度優先モードとし、定着ベルト３０の温度が設定温度に達した時点で、通常の時間をかけずに定着可能と判断し、立ち上げに不必要な時間をかけ過ぎないようにする。
【０１４３】
一方、検知温度が閾値５０℃以下のときには、時間優先モードとし、基本どおり立ち上げ開始から所定時間に達した時点で定着可能と判断し、ユーザー待ち時間を極力一定にする。
【０１４４】
さて、以上の例では、カラー画像形成装置に用いる定着制御装置やウォームアップ時間制御方法について説明したが、もちろんカラーに限らずモノクロの画像形成装置に用いる定着制御装置やウォームアップ時間制御方法にも適用し、時間優先モードまたは温度優先モードを用いて定着装置を立ち上げ、熱源で定着ベルトなどの加熱部材を加熱して、定着ニップを通過する記録材上の転写画像を定着することができる。
【０１４５】
図１１には、図１に示す画像形成装置本体１００に備える定着装置３００と、その定着制御装置５００のさらに他例を示す。
【０１４６】
この例では、図７に示す定着制御部５３にモード切換手段５４と画像モード記憶手段６２を備え、カラーモードと白黒モードとを切り換える画像モード切換手段６３を接続するものである。
【０１４７】
図１２には、図１１に示す構成を用いた定着装置３００のウォームアップ時間制御方法のまたさらに他例のフローを示す。
【０１４８】
この図１２に示す制御方法では、１つの画像形成動作を開始するときの定着温度立ち上げ時に、画像モード切換手段６３で選択された画像モードに基づき、モード切換手段５４でモード切換えを行い、白黒モードのときには、時間優先モードとし、カラーモードのときには、温度優先モードとするものである。
【０１４９】
入力電圧検出手段５２の検出結果に基づきモード切換えを行う場合と同様に、前回以前の画像形成時に画像モード記憶手段６２に記憶する画像モードに基づき、モード切換手段５４でモード切換えを行うようにし、画像モードを検出する時間を確保できない場合に、以前に検出して記憶している画像モードからモード切換えを行うこともできる。
【０１５０】
このようにすると、通常は定着に必要な熱量が少なくて済む白黒モードを基本として時間優先モードとし、白黒モードに比べて定着に大きな熱量を必要とするカラーモードの場合には、温度優先モードとすることにより、熱源がパワー不足となって定着ベルト３０の温度が定着に必要な設定温度を下回るおそれを解消し、定着不良の発生を防止することができる。
【０１５１】
図１３には、定着装置３００のウォームアップ時間制御方法のまたさらに他例のフローを示す。
【０１５２】
この図１３に示す制御方法では、図５および図１０に示す場合と同様に、まず室温検知手段５７で画像形成装置を設置する部屋の室温を検知して、室温が所定値を越えるか否かを判断し、室温検知手段５７の検知結果に基づき、定着制御部５３のモード切換手段５４でモード切換えを行う。例えば、室温が所定値１５℃以下の場合には、温度優先モードとし、通常の時間以上の時間をかけても、室温が低いことが原因で熱源がパワー不足となり定着不良が発生することを防止する。
【０１５３】
室温が所定値１５℃を越える場合は、一応時間優先モードの方に切り換えるが、次には白黒モードか否かを判断し、画像モードに基づき、定着制御部５３のモード切換手段５４でモード切換えを行う。例えば、室温が１５℃を越える場合にも、カラーモードのときには、画像モードをも考慮してモード切換手段でモード切換えを行って、温度優先モードとし、通常よりも時間はかかるが、定着不良の発生を防止する。
【０１５４】
他方、白黒モードのときには、さらに一応時間優先モードの方に切り換えるが、次にサーミスタ５６で定着ベルト３０の温度を検知し、検知温度が閾値を越えるか否かを判断し、定着ベルト３０の検知温度に基づき、定着制御部５３のモード切換手段５４でモード切換えを行う。例えば、白黒モードの場合にも、定着ベルト３０の検知温度が閾値５０℃を越えるときには、温度優先モードとし、立ち上げに不必要な時間をかけ過ぎないようにする。
【０１５５】
一方、検知温度が閾値５０℃以下のときには、時間優先モードとし、基本どおり立ち上げ開始から所定時間に達した時点で定着可能と判断し、ユーザー待ち時間を極力一定にする。
【０１５６】
ところで、上述した例では、加熱部材として定着ベルト３０を使用する定着装置３００の定着制御装置５００およびウォームアップ時間の制御方法について説明したが、加熱部材は定着ベルトに限るものではなく、定着ローラであってもよい。また、熱源３３としてＩＨコイルを用いる場合について説明したが、誘導コイルに限らず、ハロゲンランプなどを用いたものでもよい。さらに、加熱部材のまわりに設ける場合に限らず、加熱部材である定着ローラに内蔵したり、加熱部材である定着ベルトを掛けまわすローラに内蔵したりするものであってもよい。
【図面の簡単な説明】
【０１５７】
【図１】画像形成装置の一例である内部機構の要部概略構成図である。
【図２】図１に示す画像形成装置本体に備える定着装置と、その定着制御装置の構成図である。
【図３】その定着装置のウォームアップ時間制御方法の一例を示すフローチャートである。
【図４】その入力電圧記憶手段に電圧検出手段の検出結果を記憶する一例のフローチャートである。
【図５】その定着装置のウォームアップ時間制御方法の他例を示すフローチャートである。
【図６】図５に示すフローチャートでモード切換えを行う場合における定着ベルトの時間ｔと温度Ｔとの関係図である。
【図７】図１に示す画像形成装置本体に備える定着装置と、その定着制御装置の他例の構成図である。
【図８】図７に示す構成を用いた定着装置のウォームアップ時間制御方法のさらに他例のフローチャートである。
【図９】定着温度立ち上げ時における時間の経過にともなう定着ベルトの温度変化を示す図である。
【図１０】定着装置のウォームアップ時間制御方法のまたさらに他例のフローチャートである。
【図１１】図１に示す画像形成装置本体に備える定着装置と、その定着制御装置のさらに他例の構成図である。
【図１２】図１１に示す構成を用いた定着装置のウォームアップ時間制御方法のまたさらに他例のフローチャートである。
【図１３】定着装置のウォームアップ時間制御方法のまたさらに他例のフローチャートである。
【符号の説明】
【０１５８】
３０    定着ベルト（加熱部材）
３３    熱源
４０    加圧ローラ
５０    ＩＨ制御部
５１    インバータ回路
５２    電圧検出手段
５３    定着制御部
５４    モード切換手段
５５    入力電圧記憶手段
５６    サーミスタ
５７    室温検知手段
５８    自動手動切換手段
６０    温度勾配検出手段
６１    温度勾配記憶手段
６２    画像モード記憶手段
６３    画像モード切換手段
３００    定着装置
５００    定着制御装置
【図１】
2007226028.tif 000003
【図２】
2007226028.tif 000004
【図３】
2007226028.tif 000005
【図４】
2007226028.tif 000006
【図５】
2007226028.tif 000007
【図６】
2007226028.tif 000008
【図７】
2007226028.tif 000009
【図８】
2007226028.tif 000010
【図９】
2007226028.tif 000011
【図１０】
2007226028.tif 000012
【図１１】
2007226028.tif 000013
【図１２】
2007226028.tif 000014
【図１３】
2007226028.tif 000015